(57)【要約】【課題】点検作業を円滑に進めることができる点検器具を提供する。【解決手段】点検器具１は、長手方向を有する本体２と、接続部６を介して本体２の長手方向の一端に取付けられたチョークホルダー３Ａで支持されたチョーク３と、打診棒４と、支持体５を備える。打診棒４は、長手方向を有する棒体４Ａと、棒体４Ａの一端に取付けられており、かつ、棒体４Ａの長手方向を中心に回転方向９へ回転可能な回転体４Ｂとを有する。回転体４Ｂの、棒体４Ａの長手方向と同じ方向に対して略直交する方向に拡がる断面形状は略六角形状である。棒体４Ａの、回転体４Ｂが取付けられた一端とは反対側の他端は、本体２の一端に接続部６を介して接続されている。棒体４Ａは、接続部６の回転軸６Ａを中心として、支持体５による支持が解除されると自重で回転する。【選択図】図１
2019138832.tif 000002
【特許請求の範囲】
【請求項１】
長手方向を有する本体と、
該本体の長手方向の一端に取付けられた、筆記可能な筆記体と、
長手方向を有する棒体と、該棒体の一端に取付けられており、かつ、同棒体の長手方向を中心に回転可能であり、かつ、同棒体の長手方向と同じ方向に対して略直交する方向に拡がる断面形状が多角形状である回転体とを有し、前記棒体の前記回転体が取付けられた一端とは反対側の他端が、前記本体の一端の、前記筆記体が取付けられた箇所とは別の箇所に接続されており、かつ、同棒体と同本体との接続箇所を中心として同棒体が自重で回転可能である打診棒と、
該打診棒を、同打診棒の前記棒体の長手方向と前記本体の長手方向とが同じ方向になる位置である点検用位置に支持可能である支持体とを備える
点検器具。
【請求項２】
長手方向を有する本体と、
該本体の長手方向の一端に取付けられた、筆記可能な筆記体と、
第１の長手方向を有する棒体と、該棒体の一端に取付けられており、かつ、同棒体の第１の長手方向と同じ方向に対して略直交する方向に延びた第２の長手方向を有する軸体と、該軸体の端部に前記第２の長手方向を中心に回転可能に取付けられており、かつ、同第２の長手方向と同じ方向に対して略直交する方向に拡がる断面形状が多角形状である回転体とを有し、前記棒体の前記回転体が取付けられた一端とは反対側の他端が、前記本体の一端の、前記筆記体が取付けられた箇所とは別の箇所に接続されており、かつ、同棒体と同本体との接続箇所を中心として同棒体が自重で回転可能である打診棒と、
該打診棒を、同打診棒の前記棒体の第１の長手方向と前記本体の長手方向とが同じ方向になる位置である点検用位置に支持可能である支持体とを備える
点検器具。
【請求項３】
前記支持体は、前記点検用位置における支持を解除可能である
請求項１または請求項２に記載の点検器具。
【請求項４】
前記本体の、前記筆記体が取付けられた一端から離れた箇所に取付けられており、かつ、前記打診棒の支持解除を前記支持体に実行させることが可能な操作部を備え、
前記本体は伸縮可能である
請求項１、請求項２または請求項３に記載の点検器具。
【請求項５】
前記支持体に基づく支持が解除された前記打診棒の前記棒体を、同棒体の長手方向が前記本体の長手方向に対して斜めに延びた位置に維持可能な傾斜維持部を備える
請求項１に記載の点検器具。
【発明の詳細な説明】
【技術分野】
【０００１】
本発明は点検器具に関する。詳しくは、例えばコンクリート製の構造物の損傷状況を点検すると共に劣化部分に目印を付けるための点検器具に係るものである。
【背景技術】
【０００２】
近年、自然環境の悪化などで、橋梁やトンネルなどの構造物の老朽化が目立ち、それによる事故などが多発している。
従来であれば、老朽化した構造物は取り壊され、新規に造り替えられることが主流であった。
【０００３】
しかし、現在の日本国の財政状況では、公共事業の予算は削減される傾向にあり、新しく構造物を造り替えることは従来に比べて困難となっている。
その結果、老朽化した構造物の放置件数も多くなることが考えられる。
【０００４】
こうした中、構造物を維持管理して現在存在する構造物を長期的に使用できるよう、定期的に構造物の点検や調査を行い、必要に応じて補修工事などを行う体制へと変わってきている。
【０００５】
また、構造物の点検作業は、構造物を主に目視して損傷例えばコンクリートの浮き、鉄筋露出、腐食が無いかを確認する作業である。
構造物の点検法として具体的には、遠望目視点検と近接目視点検がある。
【０００６】
遠望目視点検とは、徒歩で移動しながら、はしごや双眼鏡などを利用して構造物に可能な限り近づき、損傷状態や変状を目視で確認する点検法である。
また、近接目視点検とは、足場や高所作業車などを利用して、触診や打音点検ができる距離まで近づき、損傷状態や変状を詳細に調べる点検法である。
【０００７】
例えばコンクリート構造物の近接目視点検を行う際、ハンマーでコンクリート面を打撃し、出た音の違いによって健全箇所か劣化箇所かを判断し損傷状態を調べる。
しかし、ハンマーを用いた点検作業では、一打撃ごとの繰り返しによる点検すなわち、コンクリート面を「点」で打診点検することになり、点と点の間は点検できていないので、劣化箇所を見落とし易いという問題があった。
【０００８】
そこで、従来、様々な点検具が提案されてきている。例えば、特許文献１には図５に示す点検具が記載されている。
すなわち、特許文献１に記載の点検具は、伸縮式の操作棹１２０と、操作棹１２０の先端部を構成する支軸部１２５に回転自在に支持された転打子１３０とを備える。
【０００９】
また、転打子１３０は、横断面外形が正六角形である多面体であり、その外周面は６つの面の円筒面からなる転打面に等分割されている。
また、コンクリート構造物を点検した後、コンクリート構造物の劣化部分に目印を付けるためのマーキング装置１８５が、操作棹１２０における転打子１３０近傍すなわち支軸部１２５に設けられている。
【００１０】
また、劣化部分であると判定された場合には、表示ランプ１８０を点灯させることに加えて、またはそれに代えてマーキング装置１８５を作動させることができる。
【００１１】
点検作業者は、操作棹１２０を手に持って転打子１３０をコンクリート面１１１Ａに押し当てながら操作棹１２０を振る。
これにより、転打子１３０は横断面外形が正六角形であるので、６０°回転するごとに転打面がコンクリート面を打撃して、打撃音を発生させ、ハンマーのような「点」での打診点検ではなく、「線」での打診点検ができる。
【先行技術文献】
【特許文献】
【００１２】
【特許文献１】特開２００７‐１３２７２０号公報
【発明の概要】
【発明が解決しようとする課題】
【００１３】
しかしながら、操作棹が伸縮しない場合、転打子や操作棹が邪魔してマーキングし難いという問題があった。
また、操作棹が伸縮しなくても、図５に示すように転打子とマーキング装置が互いに近い位置に配置されていれば、転打子とマーキング装置が互いに離れて配置された場合よりもマーキングし易いと言えるが、それでもマーキング装置の近くに転打子が存在するので、目印が付けられた箇所に誤って転打子が接触して、マーキングに使用される塗料などが転打子に付着し、塗料が付着した転打子が別の部分例えば正常な部分に接触して正常な部分にまで目印を付けてしまい、点検作業に支障が生じる可能性がある。
【００１４】
本発明は、以上の点に鑑みて創案されたものであり、点検作業を円滑に進めることができる点検器具を提供することを目的とする。
【課題を解決するための手段】
【００１５】
上記の目的を達成するために、本発明の点検器具は、長手方向を有する本体と、該本体の長手方向の一端に取付けられた、筆記可能な筆記体と、長手方向を有する棒体と、該棒体の一端に取付けられており、かつ、同棒体の長手方向を中心に回転可能であり、かつ、同棒体の長手方向と同じ方向に対して略直交する方向に拡がる断面形状が多角形状である回転体とを有し、前記棒体の前記回転体が取付けられた一端とは反対側の他端が、前記本体の一端の、前記筆記体が取付けられた箇所とは別の箇所に接続されており、かつ、同棒体と同本体との接続箇所を中心として同棒体が自重で回転可能である打診棒と、該打診棒を、同打診棒の前記棒体の長手方向と前記本体の長手方向とが同じ方向になる位置である点検用位置に支持可能である支持体とを備える。
【００１６】
また、上記の目的を達成するために、本発明の点検器具は、長手方向を有する本体と、該本体の長手方向の一端に取付けられた、筆記可能な筆記体と、第１の長手方向を有する棒体と、該棒体の一端に取付けられており、かつ、同棒体の第１の長手方向と同じ方向に対して略直交する方向に延びた第２の長手方向を有する軸体と、該軸体の端部に前記第２の長手方向を中心に回転可能に取付けられており、かつ、同第２の長手方向と同じ方向に対して略直交する方向に拡がる断面形状が多角形状である回転体とを有し、前記棒体の前記回転体が取付けられた一端とは反対側の他端が、前記本体の一端の、前記筆記体が取付けられた箇所とは別の箇所に接続されており、かつ、同棒体と同本体との接続箇所を中心として同棒体が自重で回転可能である打診棒と、該打診棒を、同打診棒の前記棒体の第１の長手方向と前記本体の長手方向とが同じ方向になる位置である点検用位置に支持可能である支持体とを備える。
【００１７】
ここで、本体の長手方向の一端に取付けられた、筆記可能な筆記体によって、構造物を点検した後、構造物の劣化部分に目印を付ける（マーキングする）ことができる。
また、本明細書で「一端」とは、端部から所定の範囲まで拡がる領域を含むものとする。
【００１８】
また、棒体の一端に取付けられており、かつ、棒体の長手方向を中心に回転可能であり、かつ、棒体の長手方向と同じ方向に対して略直交する方向に拡がる断面形状が多角形状である回転体によって、回転体が点検箇所に接しながら棒体の長手方向を中心に回転することで点検箇所を打撃し、打撃音を発生させることができる。
【００１９】
または、棒体の第１の長手方向に対して略直交する方向に延びた第２の長手方向を有する軸体の端部に第２の長手方向を中心に回転可能に取付けられており、かつ、第２の長手方向と同じ方向に対して略直交する方向に拡がる断面形状が多角形状である回転体によって、回転体が点検箇所に接しながら棒体の第１の長手方向に対して略直交する方向に延びた第２の長手方向を中心に回転することで、点検作業者は自身の真上に位置する点検箇所を打撃し、打撃音を発生させることができる。
【００２０】
さらに、棒体の回転体が取付けられた一端とは反対側の他端が、本体の一端の、筆記体が取付けられた箇所とは別の箇所に接続されており、かつ、棒体と本体との接続箇所を中心として棒体が自重で回転可能である打診棒によって、筆記体を用いたマーキング時に打診棒が邪魔にならない。
【００２１】
また、打診棒を、打診棒の棒体の長手方向と本体の長手方向とが同じ方向になる位置である点検用位置に支持可能である支持体によって、回転体で打撃し易い状態に打診棒を支持することができる。
【００２２】
また、本発明の点検器具において、支持体は、点検用位置における支持を解除可能である構成とすることができる。
【００２３】
この場合、回転体で打撃し易い状態に打撃棒を安定して支持することができると共に、積極的にこのような支持を解除することができる。
【００２４】
また、本発明の点検器具は、本体の、筆記体が取付けられた一端から離れた箇所に取付けられており、かつ、打診棒の支持解除を支持体に実行させることが可能な操作部を備え、本体は伸縮可能である構成とすることができる。
【００２５】
この場合、本体の、筆記体が取付けられた一端から離れた箇所を持った点検作業者は、手元において打診棒の支持解除を実行することができる。
【００２６】
また、本発明の点検器具は、支持体に基づく支持が解除された打診棒の棒体を、棒体の長手方向が本体の長手方向に対して斜めに延びた位置に維持可能な傾斜維持部を備える構成とすることができる。
【００２７】
この場合、点検場所が例えば水路のような細長い場所であっても、打診棒を収縮させることなく、また、打診棒を大きく接続箇所を中心に回転させることなく、マーキング時に打診棒が邪魔にならないようにすることができる。
【発明の効果】
【００２８】
本発明に係る点検器具を用いることで、点検作業を円滑に進めることができる。
【図面の簡単な説明】
【００２９】
【図１】本発明を適用した点検器具の第１の例を示す概略図である。
【図２】本発明を適用した点検器具の支持体が打診棒の棒体を支持した状態の、図１に示したＡ−Ａ線に沿った概略断面図（ａ）と、本発明を適用した点検器具の支持体が打診棒の棒体の支持を解除した状態の、図１に示したＡ−Ａ線に沿った概略断面図（ｂ）である。
【図３】本発明を適用した点検器具の第２の例を示す概略図である。
【図４】本発明を適用した点検器具の第３の例を示す概略図である。
【図５】従来の点検具を示す概略図である。
【発明を実施するための形態】
【００３０】
以下、本発明の実施の形態について図面を参照しながら説明し、本発明の理解に供する。
図１は、本発明を適用した点検器具の第１の例を示す概略図である。また、図２（ａ）は、本発明を適用した点検器具の支持体が打診棒の棒体を支持した状態の、図１に示したＡ−Ａ線に沿った概略断面図である。また、図２（ｂ）は、本発明を適用した点検器具の支持体が打診棒の棒体の支持を解除した状態の、図１に示したＡ−Ａ線に沿った概略断面図である。
【００３１】
図１に示す本発明の点検器具１は、長手方向を有する本体２を備える。
ここで、本体２は、点検作業者がコンクリート製の構造物例えば橋梁を点検する際に、点検作業者が握る箇所である握部２Ａを有する。
【００３２】
また、本体２は、握部２Ａに接続された、かつ、伸縮可能に構成された伸縮部２Ｂを有する。
また、握部２Ａは本体２の長手方向の一端側に位置している。
【００３３】
また、図１に示すように、伸縮部２Ｂは握部２Ａの一方側に接続されている。そして、伸縮部２Ｂが伸縮することで本体２全体が伸縮する。
【００３４】
また、本発明の点検器具１は、チョーク３を備える。
ここで、チョーク３は、本体２の長手方向の一端に取付けられており、コンクリート製の構造物に目印などを書き記すことができる。
【００３５】
すなわち、図１に示すように、チョーク３はチョークホルダー３Ａに支持されており、また、チョークホルダー３Ａは、接続部６を介して本体２の長手方向の一端に取付けられている。
また、チョークは筆記体の一例である。
【００３６】
図１に示すように、チョークホルダー３Ａは、握部２Ａに接続された伸縮部２Ｂの端部とは反対側の端部に取付けられている。
【００３７】
また、本発明の点検器具１は、打診棒４を備える。
ここで、打診棒４は、長手方向を有する棒体４Ａを有する。
また、打診棒４の棒体４Ａの構造は、伸縮する構造または伸縮しない構造とすることができる。
【００３８】
また、打診棒４は、回転体４Ｂを有する。
ここで、回転体４Ｂは、棒体４Ａの一端に取付けられており、かつ、棒体４Ａの長手方向を中心に回転方向９へ回転可能である。
また、回転体４Ｂの、棒体４Ａの長手方向と同じ方向に対して略直交する方向に拡がる断面形状は例えば略六角形状である。
また、断面形状は必ずしも略六角形状でなくてもよく、例えば略五角形状、略八角形状とすることもできる。
【００３９】
また、図１に示すように、棒体４Ａの、回転体４Ｂが取付けられた一端とは反対側の他端は、本体２の一端の、チョーク３が取付けられた箇所とは別の箇所に接続部６を介して接続されている。
すなわち、図１や図２に示すように、チョーク３と棒体４Ａは、本体２の伸縮部２Ｂを挟んで互いに対向するように、接続部６を介して本体２の一端に接続されている。
【００４０】
また、棒体４Ａは、棒体４Ａと本体２との接続箇所である、接続部６の回転軸６Ａを中心として、自重でスイング方向１０へ回転可能である。
【００４１】
また、打診棒４の棒体４Ａの基端すなわち接続部６に接続された端部から、回転体４Ｂが取付けられた棒体４Ａの先端へ向けて棒体４Ａの太さが段階的に細くなっていれば、棒体４Ａがしなり易いので好ましい。
【００４２】
また、本発明の点検器具１は、支持体５を備える。
ここで、支持体５は、打診棒４を、打診棒４の棒体４Ａの長手方向と本体２の長手方向とが同じ方向になる位置である点検用位置に支持可能である。
また、支持体５は、点検用位置における打診棒４の支持を解除可能である。
【００４３】
また、本発明の点検器具１は、操作部７を備える。
ここで、図１に示すように操作部７は、本体２の握部２Ａに取付けられている。すなわち、操作部７は、本体２の、チョーク３が取付けられた一端から離れた箇所に取付けられている。
【００４４】
また、操作部７は、打診棒４の支持解除を支持体５に実行させることが可能である。
具体的には例えば、点検作業者が操作部７を本体２の長手方向と同じ方向へスライドさせることで、支持体５が図２（ａ）に示す状態から図２（ｂ）に示す状態へ変化する。
【００４５】
すなわち、図２（ａ）に示すように支持体５の２つの部材で棒体４Ａが挟持されて打診棒４が支持された状態から、図２（ｂ）に示すように支持体５の２つの部材が開いて棒体４Ａが解放され、棒体４Ａが自重でスイング方向１０へ回転して、回転体４Ｂが本体２の握部２Ａとは反対側へ向いた状態から握部２Ａの方へ向いた状態となる。
また、開いた支持体５は、開閉用バネ８の付勢力によって再び閉じた状態に戻る。
【００４６】
また、図示していないが、回転体４Ｂが握部２Ａの方へ向いた状態の打診棒４を固定できる固定部材を、本体２に取付けることもできる。
点検作業者の斜め下もしくは真下に位置するコンクリート面などを点検する場合には、このような固定部材によって打診棒４を固定することで、チョーク３すなわち筆記体で目印を書き記し易い。
なお、このような固定部材がなくても、点検作業者の斜め下もしくは真下に位置するコンクリート面などを点検する場合に点検作業者が、回転体４Ｂが握部２Ａの方へ向いた状態の打診棒４を手などで押さえておいても、筆記体で目印を書き記し易い。
【００４７】
次に、図１に示す本発明の点検器具１を用いた点検作業について説明する。
点検作業者は、本発明の点検器具１の握部２Ａを握り、握部２Ａとは反対側へ向いた回転体４Ｂを、コンクリート製の構造物のコンクリート面に押し当てる。
【００４８】
このときのコンクリート面の位置は、点検作業者の位置に対して真上、真下及び真横の位置以外の位置である。
【００４９】
そして、点検作業者が回転体４Ｂをコンクリート面に押し当てながら本発明の点検器具１を動かすと、回転体４Ｂはコンクリート面に接触しながら回転方向９へ回転し、回転体４Ｂの断面形状が略六角形状であるので、６０°回転するごとに回転体４Ｂの面部がコンクリート面を打撃し、打撃音を発生させる。
【００５０】
次に、点検が行われたコンクリート面のうち劣化部分に、本発明の点検器具１が備えるチョーク３を用いて目印を書き記すのだが、その前に、点検作業者は、本体２の握部２Ａに取付けられた操作部７を本体２の長手方向と同じ方向へスライドさせる。
【００５１】
すると、操作部７をスライドさせるまでは図２（ａ）に示すように、支持体５の２つの部材で棒体４Ａが挟持されて打診棒４が支持されていた状態から、図２（ｂ）に示すように支持体５の２つの部材が開いて棒体４Ａが解放された状態となる。
【００５２】
そして、棒体４Ａが自重でスイング方向１０へ回転して、回転体４Ｂが本体２の握部２Ａとは反対側へ向いた状態から握部２Ａの方へ向いた状態となる。
【００５３】
また、支持体５による支持が解除された後に打診棒４を固定しなければ、打診棒４の回転体４Ｂは常に重力によって鉛直方向下側へ向いているが、回転体４Ｂが握部２Ａの方へ向いた状態の打診棒４を固定できる固定部材が本体２に取付けられていれば、点検作業者の斜め下もしくは真下に位置する劣化部分に、チョーク３で目印を書き記し易い。
【００５４】
なお、このような固定部材がなくても、回転体４Ｂが握部２Ａの方へ向いた状態の打診棒４を手などで押さえておいても、点検作業者の斜め下もしくは真下に位置する劣化部分に、チョーク３で目印を書き記し易い。
【００５５】
このように支持体５による打診棒４の支持を解除した後、点検作業者は、本発明の点検器具１が備えるチョーク３を用いてコンクリート面の劣化部分に目印を書き記す。
【００５６】
図３は、本発明を適用した点検器具の第２の例を示す概略図である。
図３に示す本発明の点検器具２１は、打診棒の形状及びその形状に基づく機能の点において図１に示す本発明の点検器具１と異なる。その他の点において両者は同じである。
【００５７】
すなわち、本発明の点検器具２１は、長手方向を有する本体２２を備える。
また、図示していないが本体２２は握部を有する。
【００５８】
また、本体２２は、握部に接続された、かつ、伸縮可能に構成された伸縮部２２Ｂを有する。
【００５９】
また、本発明の点検器具２１は、チョーク２３を備える。
また、図３に示すように、チョーク２３はチョークホルダー２３Ａに支持されており、チョークホルダー２３Ａは、接続部２６を介して本体２２の長手方向の一端すなわち、握部に接続された伸縮部２２Ｂの端部とは反対側の端部に取付けられている。
【００６０】
また、本発明の点検器具２１は、打診棒２４を備える。
ここで、打診棒２４は、第１の長手方向を有する棒体２４Ａを有する。
また、打診棒２４の棒体２４Ａの構造は、伸縮する構造または伸縮しない構造とすることができる。
【００６１】
また、図３に示すように棒体２４Ａの一端には、湾曲しながら棒体２４Ａの一端とは反対側の他端から離れる方向へ向けて延びたアーム２４Ｂが取付けられている。
【００６２】
また、図３に示すように、棒体２４Ａの一端に取付けられたアーム２４Ｂの端部とは反対側の端部には軸体２４Ｃが取付けられている。
ここで、軸体２４Ｃは、棒体２４Ａの第１の長手方向と同じ方向に対して略直交する方向に延びた第２の長手方向を有する。
【００６３】
また、打診棒２４は、回転体２４Ｄを有する。
ここで、回転体２４Ｄは、軸体２４Ｃの端部すなわちアーム２４Ｂに取付けられた軸体２４Ｃの端部とは反対側の端部に取付けられている。
また、回転体２４Ｄは、軸体２４Ｃの端部に第２の長手方向を中心に回転方向２７へ回転可能に取付けられている。
また、回転体２４Ｄの、第２の長手方向と同じ方向に対して略直交する方向に拡がる断面形状は例えば略六角形状である。
【００６４】
また、図３に示すように、棒体２４Ａの、アーム２４Ｂが取付けられた一端とは反対側の他端は、本体２２の一端の、チョーク２３が取付けられた箇所とは別の箇所に接続部２６を介して接続されている。
すなわち、図３に示すように、チョーク２３と棒体２４Ａは、本体２２の伸縮部２２Ｂを挟んで互いに対向するように、接続部２６を介して本体２２の一端に接続されている。
【００６５】
また、棒体２４Ａは、棒体２４Ａと本体２２との接続箇所である、接続部２６の回転軸２６Ａを中心として、自重で図１に示すスイング方向１０と同じ方向へ回転可能である。
【００６６】
また、打診棒２４の棒体２４Ａの基端すなわち接続部２６に接続された端部から、アーム２４Ｂなどが取付けられた棒体２４Ａの先端へ向けて棒体２４Ａの太さが段階的に細くなっていれば、棒体２４Ａがしなり易いので好ましい。
【００６７】
また、本発明の点検器具２１は、支持体２５を備える。
また、支持体２５は、打診棒２４を、打診棒２４の棒体２４Ａの長手方向と本体２２の長手方向とが同じ方向になる位置である点検用位置に支持可能である。
また、支持体２５は、点検用位置における打診棒２４の支持を解除可能である。
【００６８】
また、図３に示していないが、本発明の点検器具２１も、図１に示す本発明の点検器具１が備える操作部７と同じ操作部を備える。
また、本発明の点検器具２１が備える操作部も、本発明の点検器具１が備える操作部７と同様に、打診棒２４の支持解除を支持体２５に実行させることが可能である。
【００６９】
また、図３に示す本発明の点検器具２１は、主に点検作業者の位置に対して真上、真下及び真横の位置にあるコンクリート面を点検する場合に用いられる。
【００７０】
また、図３に示す本発明の点検器具２１を用いた点検作業は、図１に示す本発明の点検器具１を用いた点検作業と同様である。
【００７１】
また、本発明の点検器具が備える打診棒を次のような構成とすることもできる。
【００７２】
すなわち、棒体の長手方向に対して略直交した状態で、長手方向を有する追加棒体をこの棒体に接続させ、さらにこの追加棒体を棒体の長手方向を中心に回転可能とする。
そして、本発明の点検器具が備える打診棒の回転体を、第１の回転体と第２の回転体という２つの部材に分け、分けられた第１の回転体と第２の回転体をそれぞれ追加棒体の端部に、追加棒体の長手方向を中心に回転可能に取付ける。
また、追加棒体の長手方向に対して略直交する方向に拡がる、第１の回転体と第２の回転体それぞれの断面形状は多角形状である。
また、第１の回転体と第２の回転体の２つを合わせた、棒体の長手方向と同じ方向に対して略直交する方向に拡がる断面形状が多角形状となるよう、それぞれの回転体の形状を形成する。
【００７３】
打診棒をこのように構成することで、点検作業者は移動することなく、自身の斜め上及び斜め下に位置するコンクリート面に加えて、自身の真上、真横及び真下に位置するコンクリート面を点検することができる。
【００７４】
図４は、本発明を適用した点検器具の第３の例を示す概略図である。
図４に示す本発明の点検器具３１は、長手方向を有する本体３２を備える。
【００７５】
また、図４に示すように、本体３２は、本体３２の長手方向に延びると共に伸縮可能に構成された伸縮部３２Ｂを有する。
また、図４に示すように、本体３２は、本体３２の長手方向に対して略直交する方向へ突出して伸縮部３２Ｂに取付けられた握部３２Ａを有する。
【００７６】
また、本発明の点検器具３１は、チョーク３３を備える。
また、図４に示すように、チョーク３３はチョークホルダー３３Ａに支持されており、チョークホルダー３３Ａは、伸縮部３２Ｂが延びる方向の延長線上に位置するよう伸縮部３２Ｂの端部に取付けられている。
【００７７】
また、本発明の点検器具３１は、脚ゴム３９を有する。
ここで、図４に示すように、脚ゴム３９は、チョークホルダー３３Ａが取付けられた伸縮部３２Ｂの端部とは反対側の端部に取付けられている。
また、脚ゴム３９は、一般の杖の先端に取付けられている脚ゴムと同じであるが、これに限定されないことは勿論である。
【００７８】
また、本発明の点検器具３１は、打診棒３４を備える。
ここで、打診棒３４は、長手方向を有する棒体３４Ａを有する。
また、打診棒３４の棒体３４Ａの構造は、伸縮する構造または伸縮しない構造とすることができる。
【００７９】
また、打診棒３４は、回転体３４Ｂを有する。
ここで、回転体３４Ｂは、棒体３４Ａの一端に取付けられており、かつ、棒体３４Ａの長手方向を中心に回転方向３７へ回転可能である。
また、回転体３４Ｂの、棒体３４Ａの長手方向と同じ方向に対して略直交する方向に拡がる断面形状は例えば略六角形状である。
【００８０】
また、本発明の点検器具３１は、傾斜維持部３６を備える。
また、図４に示すように、棒体３４Ａの、回転体３４Ｂが取付けられた一端とは反対側の他端は、本体３２の一端の、チョーク３３が取付けられた箇所とは別の箇所に傾斜維持部３６を介して接続されている。
【００８１】
また、棒体３４Ａは、棒体３４Ａと本体３２との接続箇所である、傾斜維持部３６の回転軸３６Ａを中心として、自重でスイング方向３８へ回転可能である。
【００８２】
また、打診棒３４の基端すなわち傾斜維持部３６に接続された端部から、回転体３４Ｂが取付けられた棒体３４Ａの先端へ向けて棒体３４Ａの太さが段階的に細くなっていれば、棒体３４Ａがしなり易いので好ましい。
【００８３】
また、本発明の点検器具３１は、支持体３５を備える。
ここで、支持体３５は、打診棒３４を、打診棒３４の棒体３４Ａの長手方向と本体３２の長手方向とが同じ方向になる位置である点検用位置に支持可能である。
また、支持体３５は、点検用位置における打診棒３４の支持を解除可能である。
【００８４】
また、傾斜維持部３６は、支持体３５に基づく支持が解除された打診棒３４の棒体３４Ａを、棒体３４Ａの長手方向が本体３２の長手方向に対して斜めに延びた位置に維持可能である。
【００８５】
維持方法としては、具体的には例えば傾斜維持部３６の内側面と棒体３４Ａの表面それぞれに取付けられた磁石による磁力によって互いに引き合うことで維持する方法が挙げられる。
【００８６】
また、図４に示していないが、本発明の点検器具３１も、図１に示す本発明の点検器具１が備える操作部７と同じ操作部を備える。
また、本発明の点検器具３１が備える操作部も、本発明の点検器具１が備える操作部７と同様に、打診棒３４の支持解除を支持体３５に実行させることが可能である。
【００８７】
また、図４に示す本発明の点検器具３１は、主に水路や水道管など細長い構造物の内部に点検作業者が入ってコンクリート面を点検する場合に用いられる。
【００８８】
図１や図３に示す本発明の点検器具を用いた点検作業と同様に、図４に示す本発明の点検器具３１を用いた点検作業も、握部とは反対側へ向いた回転体３４Ｂを、コンクリート面に押し当てながら本発明の点検器具３１を動かす。
【００８９】
すると、回転体３４Ｂはコンクリート面に接触しながら回転方向３７へ回転し、回転体３４Ｂの面部がコンクリート面を打撃し、打撃音を発生させる。
【００９０】
次に、コンクリート面の劣化部分にチョーク３３を用いて目印を書き記す前に、図示していない操作部を本体３２の長手方向と同じ方向へスライドさせると、支持体３５が打診棒３４の支持を解除する。
【００９１】
そして、棒体３４Ａが自重でスイング方向３８へ回転する。
すると、傾斜維持部３６が、支持体３５に基づく支持が解除された打診棒３４の棒体３４Ａを、棒体３４Ａの長手方向が本体３２の長手方向に対して斜めに延びた位置に維持する。
すなわち、図１や図３に示す本発明の点検器具とは異なり、棒体が自重でスイング方向へ回転しても、回転体が本体の握部とは反対側へ向いた状態から握部の方へ向いた状態にはならない。
【００９２】
このように、棒体３４Ａの長手方向が本体３２の長手方向に対して斜めに延びた位置に維持できるので、細長い構造物の内部において、点検作業者は片手で操作部を操作し、打診棒を収縮させることなく、また、打診棒を大きく接続箇所を中心に回転させて構造物の内部に当ててしまうことなく、マーキング時に打診棒が邪魔にならないようにすることができる。
【００９３】
また、本発明の点検器具３１において、チョークホルダー３３Ａが取付けられた伸縮部３２Ｂの端部とは反対側の端部に脚ゴム３９が取付けられており、そして、握部３２Ａが、本体３２の長手方向に対して略直交する方向へ伸縮部３２Ｂから突出しているので、点検作業者は、本発明の点検器具３１を水路や水道管など細長い構造物の内部において、杖として使用することができる。
【００９４】
また、本発明の点検器具は、必ずしも操作部を備えていなくてもよい。
しかし、本発明の点検器具が操作部を備えていれば、本体の、筆記体が取付けられた一端から離れた箇所を持った点検作業者は、手元において打診棒の支持解除を実行することができるので好ましい。
【００９５】
また、打診棒の棒体と本体との接続箇所を中心として棒体が自重で回転可能であれば、棒体は必ずしも図１に示すスイング方向１０へ回転しなくてもよい。
【００９６】
例えば、打診棒の棒体は、スイング方向１０に対して略直交する方向へ回転して、回転体が本体の握部とは反対側へ向いた状態から握部の方へ向いた状態となるようにすることができる。
すなわち、スイング方向１０に対して略直交する方向への回転とは、その回転面がスイング方向１０への回転の回転面に対して略直交する回転である。
【００９７】
また、本発明の点検器具において、支持体は必ずしも点検用位置における支持を解除可能でなくてもよい。すなわち、支持体は、必ずしも図２（ａ）や図２（ｂ）に示すような構成でなくてもよい。
例えば、支持体が、打診棒の棒体の長手方向と本体の長手方向とが同じ方向である位置に打診棒を支持可能であれば、打診棒の棒体を自重で回転させるために支持体が開くという動作を行わずに、本体をその長手方向を中心に回転させるなどして打診棒を鉛直方向下側へ向けると、自重でスイング方向１０へ打診棒の棒体を回転させることができる支持体構成にすることもできる。
【００９８】
しかし、本発明の点検器具において支持体が、図２（ａ）や図２（ｂ）に示すような構成であり、点検用位置における支持を解除可能であれば、回転体で打撃し易い状態に打撃棒を安定して支持することができると共に、積極的にこのような支持を解除することができるので好ましい。
【００９９】
以上のように、本発明の点検器具は、棒体の一端に取付けられており、かつ、棒体の長手方向を中心に回転可能であり、かつ、棒体の長手方向と同じ方向に対して略直交する方向に拡がる断面形状が多角形状である回転体を備えているので、回転体が点検箇所に接しながら棒体の長手方向を中心に回転することで点検箇所を打撃し、打撃音を発生させることができる。
【０１００】
あるいは、本発明の点検器具は、棒体の第１の長手方向に対して略直交する方向に延びた第２の長手方向を有する軸体の端部に第２の長手方向を中心に回転可能に取付けられており、かつ、第２の長手方向と同じ方向に対して略直交する方向に拡がる断面形状が多角形状である回転体を備えているので、回転体が点検箇所に接しながら棒体の第１の長手方向に対して略直交する方向に延びた第２の長手方向を中心に回転することで、点検作業者は自身の真上に位置する点検箇所を打撃し、打撃音を発生させることができる。
【０１０１】
また、本発明の点検器具は、筆記可能なチョークすなわち筆記体を備えているので、構造物を点検した後、構造物の劣化部分に目印を付ける（マーキングする）ことができる。
【０１０２】
さらに、本発明の点検器具は、棒体の回転体が取付けられた一端とは反対側の他端が、本体の一端の、筆記体が取付けられた箇所とは別の箇所に接続されており、かつ、棒体と本体との接続箇所を中心として棒体が自重で回転可能である打診棒を備えているので、筆記体を用いたマーキング時に打診棒が邪魔にならない。
【０１０３】
また、本発明の点検器具は、打診棒を、打診棒の棒体の長手方向と本体の長手方向とが同じ方向になる位置である点検用位置に支持可能である支持体を備えているので、回転体で打撃し易い状態に打診棒を支持することができる。
【０１０４】
また、本発明の点検器具であれば、棒体が自重でスイング方向へ回転して、回転体が本体の握部とは反対側へ向いた状態から握部の方へ向いた状態となるので、マーキング時にチョークなどの筆記体の近くに回転体が存在しなくなり、目印が付けられた箇所に誤って回転体が接触することはなく、目印に使用される紛体や塗料が回転体に付着して正常な部分にまで目印を付けることもない。
【０１０５】
従って、点検作業者は、本発明の点検器具を用いることによって、点検作業を円滑に進めることができる。
【符号の説明】
【０１０６】
１    点検器具
２    本体
２Ａ  握部
２Ｂ  伸縮部
３    チョーク
３Ａ  チョークホルダー
４    打診棒
４Ａ  棒体
４Ｂ  回転体
５    支持体
６    接続部
６Ａ  回転軸
７    操作部
８    開閉用バネ
９    回転方向
１０    スイング方向
２１    点検器具
２２    本体
２２Ｂ  伸縮部
２３    チョーク
２３Ａ  チョークホルダー
２４    打診棒
２４Ａ  棒体
２４Ｂ  アーム
２４Ｃ  軸体
２４Ｄ  回転体
２５    支持体
２６    接続部
２６Ａ  回転軸
２７    回転方向
３１    点検器具
３２    本体
３２Ａ  握部
３２Ｂ  伸縮部
３３    チョーク
３３Ａ  チョークホルダー
３４    打診棒
３４Ａ  棒体
３４Ｂ  回転体
３５    支持体
３６    傾斜維持部
３６Ａ  回転軸
３７    回転方向
３８    スイング方向
３９    脚ゴム
【図１】
2019138832.tif 000003
【図２】
2019138832.tif 000004
【図３】
2019138832.tif 000005
【図４】
2019138832.tif 000006
【図５】
2019138832.tif 000007